(57)【要約】  本発明は、一つ以上の手術器具を確実に受け渡すための受渡しトレイを提供する。本発明は更に、使用済みの手術器具の回収および捕捉のための計数トレイを提供する。付加的に、本発明は、使用済みの手術器具が受渡しトレイにより計数トレイ内に囲繞されるように計数トレイに対して結合された受渡しトレイを備える手術器具廃棄容器を提供する。
2020501741.tif 000002
【特許請求の範囲】
【請求項１】
手術器具を取扱うと共に受け渡す容器であって、
該容器は、複数の底壁部と、複数の縦向き側壁部と、複数の横向き側壁部とにより規定される受取部を備え、
該受取部は、少なくとも２つの手術器具を受容すべく構成され、少なくとも２つの縦向き側壁部および少なくとも２つの横向き側壁部は前記底壁部から上方に延在して頂縁部を形成し、
前記受取部は、
長手方向中央線を有すると共に、第１の手術器具の少なくとも一部分および第２の手術器具の少なくとも一部分を受容すべく構成された区分凹所であって、
該区分凹所は前記長手方向中央線に関して対称的であり、
該区分凹所は、長手方向寸法と、該長手方向寸法の両端部に配設された前記複数の    縦向き側壁部の内の２つの縦向き側壁部により規定される最大長さとを有し、それに    より、前記区分凹所は前記両端部にて閉じられ、
前記区分凹所の第１区分は、前記頂縁部から第１距離における第１底壁部と、前記    区分凹所の前記長手方向寸法の第１端部に配設された、２つの縦向き側壁部の内の一    方の縦向き側壁部と、一連の縦向き側壁部と交互配置されて前記長手方向中央線から    横に放射状に広がる一連の区画を規定する一連の横向き側壁部と、により規定され、    それにより、前記長手方向中央線の両側から横に区画を存し、前記一連の区画は前記    長手方向中央線に関して対称的であり、各区画は前記第１区分の内側幅および前記第    １区分の少なくとも一つの外側幅を規定し、前記内側幅はユーザの各指が前記区分凹    所の前記第１区分に進入して前記第１底壁部に接触することを実質的に阻止するよう    に構成され、
前記区分凹所の第２区分は、前記区分凹所の前記長手方向寸法の第２端部に配設さ    れた２つの縦向き側壁部の内の一方の縦向き側壁部と、前記頂縁部から前記第１距離    におけると共に前記区分凹所の前記長手方向中央線の一部を包含する第２底壁部と、    前記第２区分の内側幅が前記第１区分の前記内側幅と等しく規定されるように配置さ    れた少なくとも２つの横向き側壁部と、前記長手方向中央線に関して横方向に、且つ    対称的に配置された一連の底壁部と、により規定され、前記一連の底壁部の各々は、    前記頂縁部に対して前記第１距離よりも小さい距離に在り、前記一連の底壁部は前記    長手方向中央線に対して平行である一連の横向き側壁部と交互配置されることで前記    長手方向中央線に対して略平行である一連の段部を規定し、
前記第１および第２区分の間に配置された前記区分凹所の第３区分は、前記頂縁部    から前記第１距離よりも大きい第２距離における第３底壁部と、少なくとも２つの縦    向き側壁部と、前記長手方向中央線から所定距離に配置された２つの横向き側壁部と    により規定され、それにより、前記第３区分の前記２つの横向き側壁部が前記第１区    分の前記内側幅より大きく、且つ前記第２区分の前記内側幅より大きい前記第３区分    の幅であって、ユーザの指が前記区分凹所の前記第２区分に進入して前記第３底壁部    に接触することを実質的に許容する幅を規定する、区分凹所と、
前記第１区分に隣接し、且つ前記区分凹所の前記長手方向寸法と整列して配置されたポケットであって、該ポケットは前記第２の手術器具の少なくとも一部分を受容すべく構成され、前記ポケットは、前記頂縁部から第３距離における第４底壁部と、前記区分凹所の前記長手方向寸法の前記第１端部に配設された、前記２つの縦向き側壁部の内の一方の縦向き側壁部と、少なくとも一つの別の縦向き側壁部と、少なくとも２つの横向き側壁部とにより規定されるポケットと、
を備える容器。
【請求項２】
少なくとも一つの底壁部と複数の側壁部とにより規定される受取部を備える手術器具を計数するトレイであって、
少なくとも４つの側壁部は、前記受取部の外周縁を規定すると共に、前記少なくとも一つの底壁部から上方に延在して頂縁部を形成し、
前記受取部は、
鋭利物を受容すべく構成された少なくとも一つの要素と、
金属刃を引き付けて付着すべく構成された少なくとも一つの磁気パッドと、
外科用メスの取手から外科用メス刃を取り外すと共に前記外科用メス刃を囲繞領域内に拘束すべく構成された少なくとも一つの外科用メス刃受取部と、
一つ以上の手術器具を受容すべく構成された少なくとも一つの切欠きポケットと、
を備えるトレイ。
【請求項３】
前記トレイの周縁部に沿って配置された取手を更に備える請求項２記載のトレイ。
【請求項４】
鋭利物を受容すべく構成された前記少なくとも一つの要素はラベルを含む請求項２記載のトレイ。
【請求項５】
前記受取部は少なくとも４つの側壁部および少なくとも一つの底壁部により規定される凹所を更に備える請求項２記載のトレイ。
【請求項６】
前記トレイは下側面を有し、該下側面は水平表面に対して付着することで前記トレイを前記水平表面上の所定位置に保持すべく構成された接着性構成要素を備える請求項２記載のトレイ。
【請求項７】
手術器具を取扱うと共に受け渡す容器と、手術器具を計数するトレイとを備える手術器具廃棄装置であって、
前記容器および前記トレイは積層可能な配置構成で相互に結合されるべく構成され、
前記容器は、複数の底壁部と、複数の縦向き側壁部と、複数の横向き側壁部とにより規定される受取部を備え、該受取部は少なくとも２つの手術器具を受容すべく構成され、少なくとも２つの縦向き側壁部および少なくとも２つの横向き側壁部は前記底壁部から上方に延在して頂縁部を形成し、
前記受取部は、
長手方向中央線を有すると共に、第１の手術器具の少なくとも一部分および第２の手術器具の少なくとも一部分を受容すべく構成された区分凹所であって、
該区分凹所は前記長手方向中央線に関して対称的であり、
該区分凹所は、長手方向寸法と、該長手方向寸法の両端部に配設された前記複数の    縦向き側壁部の内の２つの縦向き側壁部により規定される最大長さとを有し、それ      により、前記区分凹所は前記両端部にて閉じられ、
前記区分凹所の第１区分は、前記頂縁部から第１距離における第１底壁部と、前記    区分凹所の前記長手方向寸法の第１端部に配設された、２つの縦向き側壁部の内の一    方の縦向き側壁部と、一連の縦向き側壁部と交互配置されて前記長手方向中央線から    横に放射状に広がる一連の区画を規定する一連の横向き側壁部と、により規定され、    それにより、前記長手方向中央線の両側から横に区画を存し、前記一連の区画は前記    長手方向中央線に関して対称的であり、各区画は前記第１区分の内側幅および前記第    １区分の少なくとも一つの外側幅を規定し、前記内側幅はユーザの各指が前記区分凹    所の前記第１区分に進入して前記第１底壁部に接触することを実質的に阻止するよう    に構成され、
前記区分凹所の第２区分は、前記区分凹所の前記長手方向寸法の第２端部に配設さ    れた２つの縦向き側壁部の内の一方の縦向き側壁部と、前記頂縁部から前記第１距離    におけると共に前記区分凹所の前記長手方向中央線の一部を包含する第２底壁部と、    前記第２区分の内側幅が前記第１区分の前記内側幅と等しく規定されるように配置さ    れた少なくとも２つの横向き側壁部と、前記長手方向中央線に関して横方向に、且つ    対称的に配置された一連の底壁部と、により規定され、前記一連の底壁部の各々は、    前記頂縁部に対して前記第１距離よりも小さい距離に在り、前記一連の底壁部は前記    長手方向中央線に対して平行である一連の横向き側壁部と交互配置されることで前記    長手方向中央線に対して略平行である一連の段部を規定し、
前記第１および第２区分の間に配置された前記区分凹所の第３区分は、前記頂縁部    から前記第１距離よりも大きい第２距離における第３底壁部と、少なくとも２つの縦    向き側壁部と、前記長手方向中央線から所定距離に配置された２つの横向き側壁部と    により規定され、それにより、前記第３区分の前記２つの横向き側壁部が前記第１区    分の前記内側幅より大きく、且つ前記第２区分の前記内側幅より大きい前記第３区分    の幅であって、ユーザの指が前記区分凹所の前記第２区分に進入して前記第３底壁部    に接触することを実質的に許容する幅を規定する、区分凹所と、
前記第１区分に隣接し、且つ前記区分凹所の前記長手方向寸法と整列して配置されたポケットであって、該ポケットは前記第２の手術器具の少なくとも一部分を受容すべく構成され、前記ポケットは、前記頂縁部から第３距離における第４底壁部と、前記区分凹所の前記長手方向寸法の前記第１端部に配設された、前記２つの縦向き側壁部の内の一方の縦向き側壁部と、少なくとも一つの別の縦向き側壁部と、少なくとも２つの横向き側壁部とにより規定されるポケットと、
を備え、
前記トレイは、少なくとも一つのトレイ底壁部と複数のトレイ側壁部とにより規定される集積器を備え、少なくとも４つのトレイ側壁部は、前記集積器の外周縁を規定すると共に、前記少なくとも一つのトレイ底壁部から上方に延在してトレイ頂縁部を形成し、
前記集積器は、
鋭利物を受容すべく構成された少なくとも一つの要素と、
金属刃を引き付けて付着すべく構成された少なくとも一つの磁気パッドと、
外科用メスの取手から外科用メス刃を取り外すと共に該外科用メス刃を囲繞領域内に  拘束すべく構成された少なくとも一つの外科用メス刃受取部と、
一つ以上の手術器具を受容すべく構成された少なくとも一つの切欠きポケットと、
を備えた手術器具廃棄装置。
【請求項８】
切欠き縁部が前記トレイの前記頂縁部に沿って設けられ、前記切欠き縁部は前記容器の底縁部に対して積層可能に結合されるよう構成されている請求項７記載の手術器具廃棄装置。
【請求項９】
前記容器の底縁部は前記容器を前記トレイに対して固定するように構成されたクリップを備える請求項７記載の手術器具廃棄装置。
【請求項１０】
前記トレイの前記切欠き縁部は前記トレイに対して前記容器を固定するように構成されたクリップを備える請求項７記載の手術器具廃棄装置。
【請求項１１】
医療処置の間における手術器具の安全な取扱いおよび交換のための容器であって、
該容器は長手軸を規定する長寸本体を有すると共に、
前記容器は、
第１側壁部と、第２側壁部と、第１端壁部と、第２端壁部と、底壁部と、該底壁部とは反対側の頂縁部と、を備え、
前記頂縁部は前記容器内への頂部開口を規定する周縁部を形成し、
前記第１および第２側壁部、第１および第２の端壁部、および底壁部は、共同で前記頂部開口を通して少なくとも一つの手術器具を受容すべく構成された受取部を規定し、
前記受取部は、
第１の手術器具を部分的遮蔽位置に保管する第１長手方向凹所であって、該第１長手方向凹所は、
対置された一対の側部表面と底部表面とを備える第１指用凹所であって、各側部表    面は相互から離間されて拡大した第１幅を規定するという第１指用凹所と、
前記第１指用凹所の一部と交差する第１器具用スロットであって、前記第１指用凹    所の前記底部表面の上方に配置された第１支持表面を備えるという第１器具用スロッ    トと、
前記第１器具用スロットの少なくとも一部分を囲繞する第１保護ガードであって、    前記第１指用凹所の前記第１幅よりも小さい減少した第２幅を規定し、前記第１の手    術器具が前記第１器具用スロット内に置かれたときに前記第１の手術器具の一つ以上    の区画をユーザの指から遮蔽すべく構成される第１保護ガードと、
を有する第１長手方向凹所と、
第２の手術器具を、前記第１長手方向凹所の上方における前記受取部内の部分的遮蔽位置に保管する第２長手方向凹所であって、該第２長手方向凹所は、
対置された一対の側部表面と、底部表面とを備える第２指用凹所と、
前記第１指用凹所の一部と交差する第２器具用スロットであって、前記第２指用凹    所の前記底部表面の上方に配置された支持表面を備える第２器具用スロットと、
前記第２器具用スロットの少なくとも一部分を囲繞する第２保護ガードであって、    該第２保護ガードは、第２の手術器具が前記第２器具用スロット内に置かれたときに    前記第２の手術器具の一つ以上の区画をユーザの指から遮蔽すべく構成された保護凹    所を規定する第２保護ガードと、
を有する第２長手方向凹所と、
を備える容器。
【請求項１２】
前記第１保護ガードは前記第１器具用スロットに沿って延在する一対の長手方向のスロット壁部を備え、
各スロット壁部は、前記第１器具用スロットの両側に夫々配置されると共に、各スロット壁部は、前記第１器具用スロット内に少なくとも一つの狭窄区画を形成し、ユーザの指が少なくとも一つの狭窄区画内に入ることを実質的に阻止する請求項１１記載の手術器具の安全な取扱いおよび交換のための容器。
【請求項１３】
前記少なくとも一つの狭窄区画は、前記第１指用凹所の第１端部に配置された第１狭窄区画と、前記第１指用凹所の前記第１端部とは逆側である前記第１指用凹所の第２端部における第２狭窄区画とを備える請求項１２記載の手術器具の安全な取扱いおよび交換のための容器。
【請求項１４】
前記第１狭窄区画および前記第２狭窄区画の少なくとも一方は、前記第２器具用スロットの前記支持表面の下方で凹状に形成される請求項１３記載の手術器具の安全な取扱いおよび交換のための容器。
【請求項１５】
前記第２保護ガードは、前記容器の前記長手軸に対して平行である長さ寸法と、前記容器の前記長手軸に対して直交すると共に前記長さ寸法よりも大きい幅寸法と、を有する少なくとも一つのポケットを備える請求項１３記載の手術器具の安全な取扱いおよび交換のための容器。
【請求項１６】
前記容器は、該容器の前記第１側壁部および第２側壁部に対して平行であり、且つそれらから等距離である中央平面を更に規定し、
前記中央平面は前記容器の前記底壁部に対して概略的に直交し、
前記第１長手方向凹所および前記第２長手方向凹所は各々、前記中央平面に関して対称的である幾何学形状を有する請求項１１記載の手術器具の安全な取扱いおよび交換のための容器。
【請求項１７】
前記容器は前記受取部に対して取付けられて該受取部の前記底壁部の下方に囲繞体を形成する基礎部分を更に備え、前記囲繞体は医療処置の後における手術器具および各構成要素を確実に保管かつ廃棄すべく構成される請求項１１記載の手術器具の安全な取扱いおよび交換のための容器。
【請求項１８】
前記基礎部分は、
鋭利物を受容すべく構成された少なくとも一つの要素と、
金属刃を引き付けて付着すべく構成された少なくとも一つの磁気パッドと、
外科用メスの取手から外科用メス刃を取り外すと共に該外科用メス刃を囲繞領域内に保持すべく構成された少なくとも一つの外科用メス刃受取部と、
一つ以上の手術器具を受容すべく構成された少なくとも一つの切欠きポケットと、
の内の少なくとも一つを含みまたは規定する内側部分を備える請求項１７記載の手術器具の安全な取扱いおよび交換のための容器。
【請求項１９】
前記受取部は第１固定要素を備え、
前記基礎部分は、前記第１固定要素に係合して該基礎部分を前記受取部に対して固定し、且つ前記基礎部分の内側部分を完全に囲繞すべく構成された第２固定要素を備える請求項１７記載の手術器具の安全な取扱いおよび交換のための容器。
【請求項２０】
前記基礎部分は、該基礎部分の周縁部の回りに前記受取部を前記基礎部分上に支持するための棚部を規定する請求項１７記載の手術器具の安全な取扱いおよび交換のための容器。
【請求項２１】
前記棚部は前記基礎部分の２つの側面に沿って延在する長手方向軌道を備え、前記受取部は前記長手方向軌道を介して前記棚部上に摺動的に受容される、請求項２０記載の手術器具の安全な取扱いおよび交換のための容器。
【請求項２２】
前記受取部は、前記基礎部分の軌道に沿い、第１固定要素が第２固定要素から係合解除されることで前記受取部が前記基礎部分から離間揚動されることを許容する解除位置と、前記第１固定要素が前記第２固定要素に係合されることで前記受取部が前記基礎部分から離間揚動されることを阻止する固定位置と、の間で摺動可能である請求項２１記載の手術器具の安全な取扱いおよび交換のための容器。
【請求項２３】
前記基礎部分は、本体部分と、該本体部分から外方に延在する取手部分とを備え、
該取手部分は、ユーザにより把持されることで、前記基礎部分に対して前記受取部を取付けてまたは取付けずに前記基礎部分を手動的に支持すべく構成される請求項１７記載の手術器具の安全な取扱いおよび交換のための容器。
【発明の詳細な説明】
【技術分野】
【０００１】
本発明は、概略的に、手術用トレイに関し、更に詳細には、手術器具の受け渡し、計数、保管および廃棄を促進する手術用トレイに関する。
【背景技術】
【０００２】
外科手術の間、手術器具は、たとえば、外科医と手術室看護師または他の助手との間で受け渡され得る。手術器具は、手から手へと受け渡され得る。手術器具を手から手へと受け渡すことの欠点としては、外科医および／または手術助手の負傷に対する可能性が挙げられる。これは、手術器具は鋭利であることが多く、且つ外科医および手術助手の注意は、負傷に対する自身の個人的な保護ではなく、手術を受けている患者に向けられ得るからである。鋭利な器具は、医療専門家を傷付けるリスクだけでなく、器具が手術処置の間に血液により汚染された如き場合、血液感染性の伝染病を拡散させるリスクを引き起こす。
【０００３】
外科医およびその手術助手が直接的に手により手術器具を交換する必要がない様に、手術処置の安全性を高めるための試みが為されてきた。一つの解決策は、（「一時的トレイ」とも称される）受渡しトレイを使用することである。受渡しトレイが利用可能であるとき、対象者は、鋭利な器具を受渡しトレイ内に載置し得ると共に、受渡しトレイは、第２の対象者の近傍に保持されるか、または、第２の対象者の近傍の表面上に載置される。第２の対象者はその後、受渡しトレイ内に到達すると共に、手により医療器具を拾い上げ得る。
【先行技術文献】
【特許文献】
【０００４】
【特許文献１】米国特許第９１７９９７５号明細書
【特許文献２】米国特許第７４４１６５５号明細書
【発明の概要】
【発明が解決しようとする課題】
【０００５】
従来の受渡しトレイの一つの欠点は、トレイが手術器具の刃もしくは鋭利部分を常に遮蔽しもしくは覆うのではなく、受け渡しの間に刃もしくは鋭利部分を露出したままにすることである。幾つかの一時的トレイは、手術器具が受渡しトレイ内またはその頂部上に在るときに手術の参加者が手術器具の鋭利な領域に偶発的に接触することを阻止するカバーもしくはバリヤを欠いている。たとえば、特許文献１は、縫合糸ホルダもしくは外科用メスの如き手術器具が自身内に載置され得る手術器具の一時的トレイを開示している。縫合糸ホルダは、実質的にトレイの長手軸または長さに対して平行にトレイ内に載置される。縫合糸ホルダにより保持された縫合針の鋭利端部から、手術の参加者の肢端部を遮蔽するバリヤまたはカバーは配備されていない。トレイ内には、実質的にトレイの長手軸もしくは長さに対して直交して、外科用メスが載置される。外科用メスの刃端は、トレイから露出姿勢で横方向に突出する。斯かる配置構成は、外科用メスの鋭利な刃から手術の参加者の肢端部を保護せず、または、遮蔽しないことから、負傷に対する多大な可能性を引き起こす。
【０００６】
従来の受渡しトレイの別の欠点は、トレイが、１個より多い器具の各々を適切に遮蔽して負傷のリスクを回避する様にしてそれらを一度に保持することはできないということである。たとえば、特許文献１は、トレイ内に一つの縫合糸ホルダを保持するか、トレイ内に１本の外科用メスを保持し得るが、両方を確実な様式で同時には保持し得ない。ユーザが、トレイの頂部上に縫合糸ホルダおよび外科用メスの両方を何とかして釣り合わせたとしても、２つの器具は、各器具の鋭利な領域をユーザの肢端部から遮蔽する凹所内に確実には拘束されない。
【０００７】
特許文献２は、鋭利な器具を受け渡す手術用トレイの別の例を開示している。先の例と同様に、このトレイは、外科用メスおよび縫合糸ホルダの両方を同時に確実な様式で保持し得ない。代わりに、各器具は、別体的なトレイ内に保持されることから、各器具を保持するためには２つのトレイが必要とされる。各トレイは並置形態で配置されるが、これは不都合であり得る、と言うのも、２つのトレイは手術台上で相当量のスペースを占有するからである。
【０００８】
従来の受渡しトレイの更に別の欠点は、鋭利な器具を効果的に遮蔽しない不適切なサイズの仕切りである。この問題は、「フリーサイズ」手法で設計されたトレイにおいて認識され得る。たとえば、特許文献２に記述されたトレイは、縫合針を収容する縫合針ホルダの末端を受容すべく設計された「保護谷部」と称される大寸の凹所を含む。保護谷部は、「フリーサイズ」手法で、種々の長さおよびサイズの縫合針ホルダおよび針を収容するに十分に長寸および広幅に見える。しかし、保護谷部は、ユーザがトレイ内に到達して器具を拾い上げる中央区画開口と、同じくらいに、または、ほぼ同じくらいに大きい。これは不都合である、と言うのも、不注意なユーザが、中央区画開口ではなく、大寸の保護谷部内に偶発的に到達して器具を把持し、針により傷付けられ得るからである。故に、種々のサイズの器具および針を収容するフリーサイズ手法は、ユーザの安全性を損なう偶発的で危険な結果を引き起こす。
【課題を解決するための手段】
【０００９】
従来の受渡しトレイの欠点は、多くの態様において、本発明に係るトレイ・システムにより解決される。
【００１０】
本発明に係るトレイ・システムは、一つ以上の手術器具の鋭利部分が遮蔽されることで手術の間に手術専門家による偶発的な接触を阻止するように、手術器具を仕切られた受取部内に収容し得る受渡しトレイを含む。受渡しトレイはまた、受取部の所定領域が、個々の縫合糸の回り間隙の量を最小限とする仕切りまたは壁部であって、狭幅スロット内への手術の参加者の指の進入を阻止するという仕切りまたは壁部により分離された狭幅スロット内へと縫合針を受け入れるように、縫合糸ホルダにより担持された縫合針も収容し得る。
【００１１】
外科手術の間、外科医または他の助手は、使用済みの手術器具を監視して計数する必要があり得る。故に、本発明に係るトレイ・システムは、計数トレイも含み得る。手術器具は、１）使用済みの器具が手術処置の後で容易に計数され得ると共に、２）使用済みの器具は次続的な廃棄のために安全に保持かつ拘束され得る様に、整然とした配置構成にて計数トレイの内側に載置され得る。
【００１２】
本発明に係る計数トレイは、本発明の態様に係る受渡しトレイの如き別のトレイが、計数トレイの頂部上に接続されて、鋭利物用廃棄容器として使用され得る囲繞体を形成することを許容する溝を有する頂縁部を含み得る。受渡しトレイと計数トレイとを相互接続すると、受渡しトレイおよび計数トレイの個別的な機能に加えて第３の機能（たとえば、容器廃棄機能）が提供される。その故に、本発明に係る受渡しトレイおよび計数トレイは、１）各ユーザ間において安全様式で鋭利な手術器具を受け渡し、２）使用済みの器具を計数のために整然とした配置構成で整理し、且つ、３）使用済みの手術器具を、医療廃棄物用廃棄容器として使用され得るロック可能な囲繞体内に保管するための、「三つを一つする三位一体」の多目的トレイ・システムを提供する。
【００１３】
本発明の一実施例は、手術器具を受け渡す受渡しトレイを提供する。受渡しトレイは、少なくとも一つの手術器具が少なくとも部分的に別の手術器具の上方に配置され得るように、一つ以上の器具が離間配置で投入載置され得る陥没部または凹所／受取部を含む。凹所は、外科用メス刃または縫合針の如き器具の鋭利部分が挿入され得る狭い幅の区分化区画を含む。狭い幅の区画は、器具の受け渡しの間に手術の参加者が鋭利部分に接触し得ない様に、鋭利部分を遮蔽する。区分化区画はまた、指の如き手術の参加者の肢端部が鋭利領域に到達し得ない様に、凹所／受取部の十分に狭幅の部分内へと手術器具の鋭利領域を案内すべく構成された区画も含み得る。凹所はまた、手術の参加者が、外科用メスの取手の如き鋭利な領域が無い箇所にて手術器具を手動的に把持し得る様に、広い幅の領域も有し得る。
【００１４】
本発明の別実施例は、使用済みの手術器具の回収および捕捉のための計数トレイを提供する。計数トレイは、使用済みの縫合針を受容する発泡体細片と、たとえば外科用メス刃を受容するチャンバとを含み得る。計数トレイはまた、外科用メス刃の如き鉄系金属の器具構成要素を保持する磁気パッド、および、長寸の使い捨て式手術器具を受け入れて保持するスロットも有し得る。計数トレイの下側面は、計数トレイの基礎部が作業表面に付着することを許容して使用の間における計数トレイに対する安定性を許容する接着剤の領域を含み得る。計数トレイは、外科用メスから使用済みの外科用メス刃を取り外して保管する一つ以上の区画も含み得る。計数トレイは、本発明の本実施例に係る受渡しトレイの如き別のトレイが計数トレイの頂部上に接続されることを許容する溝を有する頂縁部も有し得る。
【００１５】
本発明の更なる別実施例は、手術器具廃棄容器、または、「鋭利物用廃棄」容器を提供する。廃棄容器は、計数トレイの頂部上に接続された受渡しトレイを備え、計数トレイは接続を促進する溝付き頂縁部を有する。計数トレイおよび／または受渡しトレイは、受渡しトレイおよび計数トレイを接続配置で一体的に保持するクリップまたはクランプの如きコネクタも含み得る。受渡しトレイは、計数トレイ内における使用済みの手術器具上のカバーの役割を果たすことで、使用済みの器具を露出させずに衛生的な廃棄を許容し得る。
【００１６】
本発明に係るトレイ・システムの態様は、添付図面中に示された非限定的な例を参照すればより良く理解される。
【図面の簡単な説明】
【００１７】
【図１】本発明の実施例に係る受渡しトレイの斜視図である。
【図２】図１における受渡しトレイの端面図である。
【図３】図１における受渡しトレイの長手側面図である。
【図４】図１における受渡しトレイの平面図である。
【図５】２つの手術器具を保持して示された、図１における受渡しトレイの斜視図である。
【図６】図１における受渡しトレイの別の平面図である。
【図７】本発明の実施例に係る計数トレイの斜視図である。
【図８】図７における計数トレイの底面図である。
【図９】図７における計数トレイの第１の端面図である。
【図１０】図７における計数トレイの第２の端面図である。
【図１１】図７における計数トレイの側面図である。
【図１２】図７における計数トレイの上面図である。
【図１３】本発明の実施例に係る廃棄容器の分解斜視図であり、廃棄容器は、分解された状態で一緒に示された図１の受渡しトレイおよび図７の計数トレイで構成される。
【図１４】受渡しトレイと計数トレイとの間の摺動可能な固定機能の表示を備えた図１３の廃棄容器の側面図である。
【図１５】受渡しトレイを計数トレイ上の固定位置とした図１３の廃棄容器の斜視図である。
【図１６】図１３の廃棄容器の端面図である。
【図１７】図１３の廃棄容器の受渡しトレイ構成要素の底面図であり、受渡しトレイの下側部の固定要素を示している。
【図１８】本発明の実施例に係る別の受渡しトレイの斜視図である。
【図１９】図１８における受渡しトレイの上面図である。
【図２０】本発明の実施例に係る別の受渡しトレイの斜視図である。
【図２１】図２０における受渡しトレイの上面図である。
【発明を実施するための形態】
【００１８】
本発明に係るトレイ・システムは、少なくとも２つの手術器具が、それらの鋭利区画が安全に遮蔽され乍ら、受渡しトレイ内で同一の凹所または受取部を少なくとも部分的に共有するように、各器具を保持し得る受渡しトレイを含み得る。手術器具を取扱うと共に受け渡す容器は、複数の底壁部と、複数の縦向き側壁部と、複数の横向き側壁部とにより規定される受取部を含み得、受取部は、少なくとも２つの手術器具を受容すべく構成され、少なくとも２つの縦向き側壁部および少なくとも２つの横向き側壁部は底壁部から上方に延在して頂縁部を形成する。受取部は、長手方向中央線を有する区分凹所であって、第１の手術器具の少なくとも一部分および第２の手術器具の少なくとも一部分を受容すべく構成された区分凹所を含み得、区分凹所は、長手方向中央線に関して対称的である。区分凹所は、区分凹所が長手方向寸法の両端部にて閉じられるように、長手方向寸法と、両端部に配設された複数の縦向き側壁部の内の２つの縦向き側壁部により規定される最大長さとを有し得る。
【００１９】
凹所の第１区分は、頂縁部から第１距離における第１底壁部と、区分凹所の長手方向寸法の第１端部に配設された、２つの縦向き側壁部の内の一方の縦向き側壁部と、長手方向中央線の両側に配置された区画を有し、且つ一連の区画は長手方向中央線に関して対称的であるように、一連の縦向き側壁部と交互に並んで長手方向中央線から横に放射状に広がる一連の区画を規定する一連の横向き側壁部と、により規定され、各区画は、第１区分の内側幅、および、第１区分の少なくとも一つの外側幅を規定し、内側幅は、ユーザの各指が区分凹所の第１区分に進入して第１底壁部に接触することを実質的に阻止するように構成される。
【００２０】
凹所の第２区分は、区分凹所の長手方向寸法の第２端部に配設された、２つの縦向き側壁部の内の一方の縦向き側壁部と、頂縁部から第１距離におけると共に凹所の長手方向中央線の一部を包含する第２底壁部と、第２区分の内側幅が第１区分の内側幅と等しく規定されるように配置された少なくとも２つの横向き側壁部と、長手方向中央線に関して横方向に、且つ対称的に配置された一連の底壁部と、により規定され、一連の底壁部の各々は、頂縁部に対して第１距離よりも小さい距離に在り、一連の底壁部は長手方向中央線に対して平行である一連の横向き側壁部と交互に並んで配置されることで長手方向中央線に対して略々平行である一連の段部を規定する。
【００２１】
第１および第２の区分の間に配置された凹所の第３区分は、頂縁部から第１距離よりも大きい第２距離における第３底壁部と、少なくとも２つの縦向き側壁部と、第３区分の２つの横向き側壁部が、第１区分の内側幅より大きく且つ第２区分の内側幅より大きいという第３区分の幅であって、ユーザの指が区分凹所の第３区分に進入して第３底壁部に接触することを実質的に許容する幅を規定するように長手方向中央線から所定距離に配置された２つの横向き側壁部と、により規定される。
【００２２】
第１区分に隣接して且つ区分凹所の長手方向寸法と整列してポケットが配置され、ポケットは第２の手術器具の少なくとも一部分を受容すべく構成され、ポケットは、頂縁部から第３距離における第４底壁部と、区分凹所の長手方向寸法の第１端部に配設された、２つの縦向き側壁部の内の一方の縦向き側壁部と、少なくとも一つの別の縦向き側壁部と、少なくとも２つの横向き側壁部とにより規定される。
【００２３】
別実施例において、手術器具を計数するトレイは、少なくとも一つの底壁部と、複数の側壁部とにより規定される受取部を含み、少なくとも４つの側壁部は、受取部の外周縁を規定すると共に、少なくとも一つの底壁部から上方に延在して頂縁部を形成する。受取部は、以下の任意のものまたは全てを含み得る。
・受取部内に配設されて縫合針を受容すべく構成された、一つ以上の発泡体または磁気細片の如き一つ以上の要素。
・受取部内に配設されて、金属刃を引き付けて付着すべく構成された一つ以上の磁気パッド。
・受取部内に配設された、一つ以上の外科用メス刃取外し器。
・長寸の手術器具を収容すべく構成された一つ以上の陥没部を規定する複数の側壁部により規定される一つ以上の切欠きポケットまたはスロット。
【００２４】
計数トレイは、トレイの周縁部に沿って配置された取手を含み得る。一つ以上の発泡体細片の各々は、ラベル、または、他の形態の目印を含み得る。計数トレイにおける受取部は、少なくとも４つの側壁部と少なくとも一つの底壁部とにより規定される凹所を含み得る。計数トレイはまた、水平表面に付着してトレイを水平表面上の所定位置に保持すべく構成された接着性構成要素を有する下側面も特徴とし得る。
【００２５】
別実施例において、手術器具のための廃棄容器は、手術器具を取扱うと共に受け渡すトレイの形態の第１容器構成要素と、手術器具を計数するトレイの形態の第２容器構成要素とを含み得る。第１構成要素は、上述の受渡しトレイの特徴の任意のものまたは全てを有する受渡しトレイであり得ると共に、第２構成要素は、上述の計数トレイの特徴の任意のものまたは全てを有する計数トレイであり得る。受渡しトレイおよび計数トレイは積層可能な配置構成で相互に結合されることで、廃棄容器を形成し得る。
【００２６】
別実施例においては、医療処置の間おける手術器具の安全な取扱いおよび交換のための容器であって、
容器は長手軸を規定する長寸本体を有すると共に、
容器は第１側壁部と、第２側壁部と、第１端壁部と、第２端壁部と、底壁部と、底壁部とは反対側の頂縁部とを備え、
頂縁部は容器内への頂部開口を規定する周縁部を形成し、
第１および第２の側壁部、第１および第２の端壁部、および底壁部は、共同で頂部開口を通して少なくとも一つの手術器具を受容すべく構成された受取部を規定し、
受取部は、
第１の手術器具を部分的遮蔽位置に保管する第１長手方向凹所であって、第１長手方向凹所は、
対置された一対の側部表面と、底部表面とを備える第１指用凹所であって、各側部表面は相互から離間されて拡大第１幅を規定するという第１指用凹所と、
第１指用凹所の一部と交差する第１器具用スロットであって、第１指用凹所の底部表面の上方に配置された第１支持表面を備える第１器具用スロットと、
第１器具用スロットの少なくとも一部分を囲繞する第１保護ガードであって、第１保護ガードは指用凹所の第１幅よりも小さい減少第２幅を規定し、保護ガードは、第１の手術器具が第１器具用スロット内に投入されたときに第１の手術器具の一つ以上の区画をユーザの指から遮蔽すべく構成される第１保護ガードと、
を有する第１長手方向凹所と、
第２の手術器具を第１長手方向凹所の上方における受取部内の部分的遮蔽位置に保管する第２長手方向凹所であって、第２長手方向凹所は、
対置された一対の側部表面と底部表面とを備える第２指用凹所と、
第１指用凹所の一部と交差する第２器具用スロットであって、第２指用凹所の底部表面の上方に配置された支持表面を備える第２器具用スロットと、
第２器具用スロットの少なくとも一部分を囲繞する第２保護ガードであって、第２保護ガードは、第２の手術器具が第２器具用スロット内に置かれたときに第２の手術器具の一つ以上の区画をユーザの指から遮蔽すべく構成された保護凹所を規定する第２保護ガードと、
を有する第２長手方向凹所と、
を備える容器が提供される。
【００２７】
別実施例において、第１保護ガードは第１器具用スロットに沿って延在する一対の長手スロット壁部を備え、各スロット壁部は第１器具用スロットの両側に夫々配置されると共に、各スロット壁部は第１器具用スロット内にユーザの指が自身内に挿入されることを実質的に阻止する少なくとも一つの狭窄区画を形成する。
【００２８】
少なくとも一つの狭窄区画は、第１指用凹所の第１端部に配置された第１狭窄区画と、第１指用凹所の第１端部とは逆側である指用凹所の第２端部における第２狭窄区画とを含み得る。
【００２９】
第１狭窄区画および第２狭窄区画の少なくとも一方は第２器具用スロットの支持表面の下方に凹状に形成され得る。
【００３０】
第２保護ガードは、容器の長手軸に対して平行である長さ寸法と、容器の長手軸に対して直交すると共に長さ寸法よりも大きい幅寸法と、を有する少なくとも一つのポケットを含み得る。
【００３１】
容器は、容器の第１側壁部および第２側壁部に対して平行であり且つそれらから等距離である中央平面を更に規定し得、中央平面は、容器の底壁部に対して概略的に直交し、第１長手方向凹所および第２長手方向凹所は各々、中央平面に関して対称的である幾何学形状を有する。
【００３２】
容器は、受取部に対して取付けられて受取部の底壁部の下方に囲繞体を形成する基礎部分も含み得る。囲繞体は医療処置の後における手術器具および各構成要素を確実に保管かつ廃棄すべく構成され得る。
【００３３】
基礎部分は、
鋭利物を受容すべく構成された、少なくとも一つの発泡体細片または少なくとも一つの磁気細片のような少なくとも一つの要素、
金属刃を引き付けて付着すべく構成された少なくとも一つの磁気パッド、
外科用メスの取手から外科用メス刃を取り外すと共に外科用メス刃を囲繞領域内に保持すべく構成された少なくとも一つの外科用メス刃受取部、および、
一つ以上の手術器具を受容すべく構成された少なくとも一つの切欠きポケット、
の内の少なくとも一つを含みまたは規定する内側部分を含み得る。
【００３４】
受取部および／または基礎部分は各々、受取部を基礎部分に対して固定し得る一つ以上の固定要素を有し得る。本発明に係る固定要素は、所望されたときに掛止解除またはロック解除されるべく設計されたラッチ、スプリング・タブなどの如き半永久的な固定構成要素、または、不可逆的に係合されるべく設計された固定構成要素の如き永久的な固定構成要素を特徴とし得る。受取部は第１固定要素を含み得ると共に、基礎部分は、第１固定要素に係合して基礎部分を受取部に対して固定し且つ基礎部分の内側部分を完全に囲繞すべく構成された第２固定要素を含み得る。
【００３５】
基礎部分は基礎部分の周縁部の回りに受取部を基礎部分上に支持するための棚部を規定し得る。
【００３６】
棚部は基礎部分の２つの側面に沿って延在する長手方向軌道を含み得、受取部は長手方向軌道を介して棚部上に摺動的に受容される。
【００３７】
受取部は、基礎部分の軌道に沿い、第１固定要素が第２固定要素から係合解除されることで受取部が基礎部分から離間揚動されることを許容する解除位置と、第１固定要素が第２固定要素に係合されることで受取部が基礎部分から離間揚動されることを阻止する固定位置との間で摺動可能であり得る。
【００３８】
基礎部分は本体部分と本体部分から外方に延在する取手部分とを含み得、取手部分は、ユーザにより把持されることで、基礎部分に対して受取部を取付けてまたは取付けずに、基礎部分を手動的に支持すべく構成される。
【００３９】
本発明に係るトレイ・システムの実施例は次に、図面を参照して更に詳細に記述される。図１〜図４を参照すると、本発明に係る受渡しトレイ容器５の一例は、複数の端壁部１３と、複数の側壁部１４と、複数の底壁部１５とにより規定される受取部１０を含む。２つの端壁部（縦向き側壁部）１３および２つの側壁部（横向き側壁部）１４は、上方に延在して頂縁部２０を形成する。受取部１０は、長手方向中央線３３を備えた凹所３０であって、少なくとも２つの手術器具の幾つかまたは全てを受容すべく適合化されると共に、異なる領域へと区分化されたという凹所３０を含む。区分化された凹所３０は、長手方向中央線３３に関して対称的であり得る。
【００４０】
区分凹所３０は、区分凹所３０が長手方向中央線３３の各端部にて閉じられるように、２つの端壁部１３により規定され得る長手方向寸法に沿う最大長さを有する。凹所３０の第１区分３１は、部分的に、頂縁部２０から第１距離に配設された第１底壁部１５ａにより規定される。第１区分３１は、一連の狭幅スロットもしくは区画４０を規定する。各区画４０は、長手方向中央線３３の両側から横に放射状に広がる共に、第１区分３１に対し、少なくとも一つの最小または内側の幅４２と、少なくとも一つの最大または外側の幅４３とを有する。各区画４０は、長手方向中央線３３に対して平行な狭小長さ４４も有する。各区画４０の寸法は、手術の参加者または受渡しトレイ５のユーザの各指が第１区分３１に進入し得ない様に、十分に小さい。内側幅４２は、外科用メスの如き手術器具の鋭利な領域を収容すべく設計されるが、指の如き対象者の外肢が第１区分３１に進入すること、および、底壁部１５ａに接触することを阻止または回避する。たとえば、外科用メスの刃は、刃に対して対象者の指が接触し得ない様に、第１区分３１内に収容され得る。
【００４１】
第１区分３１における一連の区画４０は、種々の長さおよびサイズの縫合糸ホルダ器具を受渡しトレイ５が安全に収容することを許容する重要な役割も果たしている。特に、一連の区画４０は、従来のフリーサイズ受取部の欠点を回避し乍ら、種々のサイズの縫合針ホルダおよび縫合針の両方を収容する。受渡しトレイ５は、縫合糸ホルダ器具が縫合針を保持し乍ら器具を受容すべく、且つ、その縫合針をユーザの肢端部から遮蔽すべく設計される。縫合針ホルダが、たとえば、図５に示されたようにトレイ内に載置されたとき、縫合針は、第１区分３１における狭幅な各区画４０の内の一つ内に受容され、その場合に針は、ユーザの肢端部から直ちに遮蔽される。このことは、種々の長さの縫合針ホルダを収容すべく単一の大寸区画を使用する従来のトレイと対照的である。
【００４２】
各区画４０は、針の回りにおける僅かな間隙空間を以て、または、それなしで、針を部分的に囲繞する区画側壁部４１により囲繞される。これに加え、各区画４０およびその各側壁部４１は、針ホルダの配向および針尖端の位置に関わらず、縫合針の鋭利尖端がユーザの指から遮蔽される様に、十分にトレイの頂縁部２０の下方に凹状形成される。針尖端が受渡しトレイ５の頂縁部２０に対して指向されるか底壁部１５に対して指向されるかに関わらず、針尖端は依然として、頂縁部２０の遙かに下方に、且つ、手の届かない各区画壁部４１間に収納される。縫合針を受容する特定の区画４０は、縫合針ホルダの相対長さ、および／または、縫合針ホルダがトレイ内に載置される位置に依存する。その故に、受渡しトレイ５は、ユーザが自身の指により縫合針に接触することを阻止するトレイ内の局限空間内に縫合針を依然として維持し乍ら、種々の長さおよびサイズの縫合糸ホルダを収容する。
【００４３】
各区画側壁部４１は、それらがトレイ外側から長手方向中央線３３に向けて内方に延伸するにつれて、底壁部１５に向けて下方に勾配付けられ、または、傾斜される。その故に、各区画側壁部４１は、外科用メスまたは他の器具を、それらの鋭利区画がユーザと接触し得ない第１区分３１の底部へと迅速に導向する傾斜部または案内部を提供するという付加的な目的に資する。
【００４４】
凹所３０の第２区分３２は、部分的に、長手方向中央線３３の両端部に配設された２つの端壁部１３の一方により規定される。第２区分３２はまた、長手方向中央線３３の少なくとも一部分を包含する第２底壁部１５ｂであって、頂縁部２０から第１底壁部１５ａと同一の距離に配設されたという第２底壁部１５ｂによっても部分的に規定され得る。第２区分３２の内側幅４５が規定されると共に、少なくとも、第１区分３１の内側幅４２と同様に狭幅である。第２区分３２の内側幅４５は、第１区分の内側幅４２と等しくされ得る。
【００４５】
第２区分３２はまた、一連の底壁部１５の各々が、第２底壁部１５ｂから頂縁部２０までの距離よりも小さい距離にて頂縁部２０から離間され、頂縁部２０までの各距離は、各底壁部１５が中央線３３から外方に進展するにつれて減少するように、長手方向中央線３３に関して横方向に配置された一連の底壁部１５も有し得る。一連の底壁部１５は、長手方向中央線３３に対して横方向かつ各側にて、段部構成または一連の段部を形成する。段部構成は、長手方向中央線３３に関して対称的である。第２区分３２の各底壁部１５は、中央線３３に対して概略的に平行に延在する支持壁部３４により相互から離間される。
【００４６】
凹所３０の第３区分５０は、第１区分３１と第２区分３２との間に配置される。第３区分５０は、部分的に、２つの側壁部３５と、第３底壁部１５ｃであって、第１底壁部１５ａから頂縁部２０までの距離、および、第２底壁部１５ｂから頂縁部２０までの距離よりも大きな距離にて頂縁部２０から離間されたという第３底壁部１５ｃとにより規定される。各側壁部３５は、各側壁部が、第１区分３１の内側幅４２および第２区分３２の内側幅４５よりも大きい幅５２を規定するように、長手方向中央線３３から所定距離に配置される。その故に、凹所３０の第３区分５０は、第１区分３１よりも更に広幅で更に深底であり、第１区分よりも遙かに指がアクセス可能としている。幅５２は、外科医または助手の如き手術の参加者の各指が第３底壁部１５ｃに接触し得るように、指が第３区分５０に進入することを許容すべく構成される。斯かる構成は、手術の参加者が第３区分５０内に到達し、鋭利な領域を有さない手術器具の部分（たとえば、外科用メスの取手）を把持することを許容する。
【００４７】
受取部１０はまた、第１区分３１に隣接して配置されたポケット６０も含み、ポケット６０は、長手方向中央線３３と整列され、且つ、それに関して対称的である。ポケット６０は、受取部１０内に載置された第２の手術器具の少なくとも一部分を受容すべく構成される。故に、ポケット６０および凹所３０は、一つ以上の器具を収容すべく協働して作用する。ポケット６０は、部分的に、第４底壁部１５ｄと、長手方向中央線３３の第１端部に配設された端壁部１３と、２つの側壁部１４とにより規定される。ポケット６０は、たとえば、縫合糸ホルダにより保持された大寸の湾曲した縫合針を収容すべく使用され得る。ポケット６０は、手術の参加者の外肢（たとえば、指など）による進入を阻止するに十分に狭幅である。
【００４８】
次に図４および図５を参照すると、受渡しトレイ５は、第１凹所３０内に（たとえば、取手に対して取付けられた刃を有する外科用メスなどの）第１の手術器具を収容する。受渡しトレイ５内に外科用メスが載置されたとき、外科用メスの刃は、トレイに対する外科用メスの配向に依存して、第１区分３１または第２区分３２のいずれかの底部部分へと案内される。第１区分３１の内側幅４２および第２区分３２の内側幅４５は、典型的な外科用メスの最大幅より僅かに大きいだけである。これに加え、内側幅４２および４５は、手術の参加者の（指などの）肢端部が第１区分３１および第２区分３２に進入し得ない様に、小寸である。外科用メスの最も基部の取手部分は、刃を受容しない第１区分３１および第２区分３２の内の他方内に受容される。凹所３０の第３区分５０は、外科用メスの中央区画または中央部分を受容する。
【００４９】
凹所３０の内側の第１器具は、第１区分３１および第２区分３２領域において、各指に対してアクセス不能である。但し、手術の参加者は依然として、凹所３０の第３区分５０内に到達して第１の手術器具を取出し得る。第１器具の一切の鋭利部分は、第１区分３１および／または第２区分３２により遮断されることから、ユーザが、受渡しトレイ容器５を見ることなく、器具を（たとえば取手などの）安全な箇所にて把持することが許容される。凹所３０の第３区分５０は、凹所の他の領域よりも相当に大寸かつ更に開放的なので、ユーザがトレイを直接的に見ていないとき、ユーザの指は第３区分の開口に対して容易に案内される。
【００５０】
受渡しトレイ容器５はまた、（たとえば、図５に示されたように）縫合針を保持する縫合針ホルダの如き第２の手術器具も収容する。第２の手術器具は、トレイにおける第１器具の上方に懸架された位置に、受容され且つ安全に拘束される。第２器具の取手部分は、第２区分３２の一つ以上の支持壁部３４により収容かつ保持される。付加的に、たとえば、縫合針を把持している縫合糸ホルダの場合、縫合針は、第１区分３１の狭幅の区画４０の一つ内に安全に収容され得る。各区画４０は、内側幅４２と同様に、ユーザが自身の指を区画内に偶発的に挿入することを区画が阻止するように、十分に狭幅である。
【００５１】
ポケット６０によれば、縫合針も安全に収容され得る。受渡しトレイ容器５０の端壁部１３には、第１切欠溝９２の底部が頂縁部２０の下方であるように、第１切欠溝９２が配置される（図１および図４を参照）。凹所３０の長手方向寸法の第２端部に配設された反対側の端壁部１３の頂部には、第２切欠溝９４の底部も頂縁部２０の下方であるように、第２切欠溝９４が配備される。溝９２および９４は、その様にしなければトレイ容器５の境界内に収まらない非常に長寸の手術器具のシャフト、取手、または、他の部分をトレイ容器５内に支持すべく使用され得る（たとえば、図５を参照）。
【００５２】
図６を参照し、受渡しトレイ容器５は、更に詳細に記述される。受渡しトレイ容器５は、手術処置の間における一つ以上の手術器具の安全な取扱いおよび交換を促進する。容器５は、長手軸１０５を定義する長寸の本体を有する。先に言及されたように、容器５の長寸本体は、第１および第２の端壁部１３、第１および第２の側壁部１４、底壁部１５、および、底壁部とは反対側の頂縁部２０を有する。頂縁部２０は、容器５内への頂部開口１２２を規定する周縁部１２１を形成し、第１および第２の側壁部１４、第１および第２の端壁部１３、および、底壁部１５は集合的に、頂部開口を介して少なくとも一つの手術器具を受容すべく適合化された受取部１３０を規定する。
【００５３】
受取部１３０は、部分的に遮蔽された位置に第１の手術器具を保管すべく構成された第１長手方向凹所１３５を含む。第１長手方向凹所１３５は、第３区分５０内に配置された第１指用凹所１４０であって、部分的に第３区分の各側部表面３５により規定されるという第１指用凹所１４０と、底部表面１４８とを有し、各側部表面３５は相互に離間されることで、（たとえば、手術の参加者の指などの）肢端部が指用凹所１４０内に到達することを許容するに適した第１幅１４５を規定する。
【００５４】
長手方向凹所１３５はまた、第１指用凹所１４０の一部と交差する第１器具用スロット１５０も含み得る。スロット１５０は、第１指用凹所１４０の底部表面１４８の上方に高位配置された第１支持表面１５８を含む。故に、第１支持表面１５８は（たとえば外科用メスなどの）長寸の手術器具を支持し得るが、第１幅１４５および更に深底の底部表面１４８は、手術の参加者の指が指用凹所１４０内に到達して、器具の側面および下側に到達することで手術器具を取出すことを許容する。
【００５５】
凹所１３５は更に、第１器具用スロット１５０の少なくとも一部分を囲繞すべく構成された第１保護ガード１６０を含む。第１保護ガード１６０は、指用凹所１４０の第１幅１４５よりも小さい第２幅１６５を規定する。保護ガード１６０は、（たとえば外科用メスなどの）第１の手術器具の一つ以上の区画を、手術処置の間に手術の参加者の指からスロット１５０内に遮蔽すべく構成される。第１保護ガード１６０は、各区画壁部４１と、第１器具用スロット１５０に沿い延在する各スロット壁部１６２とを含む。各区画壁部４１および各スロット壁部１６２は、第１器具用スロット１５０の両側に配置されることで、夫々、第１器具用スロット１５０内に、狭窄区画内へのユーザの指の挿入を実質的に阻止する狭窄区画を形成する。各狭窄区画は、第１指用凹所１４０の第１端部上に配置された第１狭窄区画１６３、および、第１指用凹所の第１端部とは逆側である指用凹所の第２端部上の第２狭窄区画１６７を含む。
【００５６】
受取部１３０はまた、第１長手方向凹所１３５の上方の部分的に遮蔽された位置に第２の手術器具を保管すべく構成された第２長手方向凹所１７０も含む。第２長手方向凹所１７０は、対向する一対の側部表面１７３および１７４と、底部表面１７５とを備える第２指用凹所１７２を有する。第２長手方向凹所１７０は、図５に示されたように、第１器具用スロットの上方に第２器具を受容する第２器具用スロット１７７も規定する。第２器具用スロット１７７は、第１指用凹所１４０の一部と交差し、且つ、スロットは、第２指用凹所１７２の底部表面１７５の上方に高位配置された第２支持表面１７８を含む。第２支持表面１７８は、各支持壁部３４の頂部表面に沿って延在する。第１狭窄区画１６３は、第２器具用スロット１７７の各支持表面１７８の下方に凹状形成される。
【００５７】
第２長手方向凹所１７０の少なくとも一部分を、第２保護ガード１８０が囲繞する。保護ガード１８０は、第２の手術器具が第２長手方向凹所１７０内に置かれたとき、第２の手術器具の一つ以上の区画を手術の参加者の指から遮蔽すべく構成された保護凹所を規定する。たとえば、第２の手術器具は、縫合針を保持する縫合糸ホルダ器具であり得る。縫合糸ホルダは、縫合針がガード１８０の保護凹所内に収容されることで、ユーザの指が鋭利な縫合針に接触することを阻止するように、第２長手方向凹所１７０内に挿入され得る。第２保護ガード１８０は、順次に配置された４個の区画４０を含み、各区画は、容器５の長手軸１０５に対して平行な長さ寸法と、容器５の長手軸１０５に対して直交する幅寸法とを有し、幅寸法は長さ寸法よりも大きい。
【００５８】
本発明に係る受渡しトレイは、縫合針を受容する４個より少ない区画、または、縫合針を受容する４個より多い区画を有し得ると共に、厳密に４個の区画である必要はないことは理解される。４個の区画の使用は、競合する２つの利害間における望ましいバランスに的中すること、すなわち、広範囲な器具および針のサイズに対処し乍ら、区画の寸法を十分に小寸に維持することで指がトレイ内の針に接触することを阻止することが見出された。
【００５９】
再び図２を参照すると、受渡しトレイ容器５は更に、第１および第２の側壁部１４に対して平行であり且つそれらから等距離である中央平面１０８を規定する。中央平面１０８は底壁部１５に対して概略的に直交して延在し、第１長手方向凹所１３５および第２の長手方向凹所１７０は各々、中央平面１０８に関して対称的な幾何学形状を有する。
【００６０】
図７〜図１２に関し、本発明の態様に係る計数トレイの実施例が記述される。計数トレイ３００は、少なくとも一つの底壁部３１２、および、複数の側壁部３１５により規定される受取部３１０を含む。少なくとも４つの側壁部３１５は、受取部３１０の外周縁を規定すると共に、少なくとも一つの底壁部３１２から上方に延在して頂縁部３２０を形成する。
【００６１】
受取部３１０は、縫合針の如き鋭利な手術用対象物を受容して保持すべく構成された複数の発泡体細片３３０を含む。各発泡体細片３３０は、受取部３１０内に配設されると共に、細片は、その中に載置された使用済みの針をユーザが追跡または計数することを支援する一つ以上の目印またはラベル３３１を含み得る。各ラベル３３１は、数字、文字、および／または、他の参照符号を含み得る。受取部３１０はまた、外科用メスの刃の如き金属物体を引き付けて付着すべく構成された少なくとも一つの実質的に平坦な磁気パッド３４０も含む。受取部３１０内には、複数個の外科用メス刃取外し器３５０も配設される。外科用メス刃取外し器３５０は、外科用メスの取手から一つ以上の外科用メスの刃を取り外し、且つ、それらの外科用メス刃を計数トレイ３００の内部の囲繞領域内に拘束すべく構成される。
【００６２】
受取部３１０はまた、複数の側壁部３７１により規定される切欠きポケット３７０も含む。複数の側壁部３７１は、（たとえば、使い捨て式の外科用メスなどの）一つ以上の長寸の手術器具を受容して保持すべく構成された陥没部３７５を規定する。
【００６３】
計数トレイ３００は、受取部３１０の外周縁の外側に配置された取手３８０も含む。これに加え、受取部３１０は、付加的な対象物を保管する凹所３９０を規定する。図８を参照すると、計数トレイ３００は、両面テープの如き接着性構成要素３９５を備えた下側面を有する。接着性構成要素３９５は、水平な表面に対して付着することで、手術処置の間においてトレイ３００を手術ドレープまたは他の表面上の安定位置に保持する。
【００６４】
図１３〜図１７に関し、本発明の態様に係る手術器具廃棄容器の実施例が記述される。廃棄容器５００は、図１〜図６に示された受渡しトレイ容器５と、図７〜図１２に示された計数トレイ３００とを含む。受渡しトレイ容器５および計数トレイ３００は、積層可能な関係で相互に結合されて廃棄容器５００を形成すべく構成される。計数トレイ３００は、受渡しトレイ容器５に対する基礎部分の役割を果たすと共に、受渡しトレイ５の底部に対して取付けられたときに囲繞体を形成する。結果的な囲繞体は、医療処置の後における手術器具および構成要素の確実な保管および廃棄を実現する。
【００６５】
計数トレイ３００の頂縁部６２０に沿い、切欠き６２５が延在することで、受渡しトレイ５が計数トレイ上に接続され得るように、棚部６２８を形成する。受渡しトレイ５の底縁部５１０は、タブの形態の固定要素５３０を含む。計数トレイ３００もまた、タブの形態の固定要素６３０を含む。各固定要素６３０は各固定要素５３０と整列してそれらに係合し、受渡しトレイ５を計数トレイ３００に対して保持かつ固定すべく構成される。その故に、各固定要素５３０および各固定要素６３０は、相互に係合することで、計数トレイ３００および受渡しトレイ５を一体的に固定し、囲繞された内側部分を形成する。取手３８０は計数トレイ３００から外方に延在し、そこで取手はユーザにより把持されることで、計数トレイ自体が、または、計数トレイの頂部に対して接続された受渡しトレイ容器５と共に、手動的に揚動して支持され得る。
【００６６】
受渡しトレイ５は、計数トレイ３００に対して摺動可能に相互係合する。図１４および図１５を参照すると、受渡しトレイ５は、示されたように受渡しトレイが計数トレイの頂部と整列せずに小さな張出し６３１を形成し乍ら、棚部６２８にて計数トレイ３００の頂部上に載置されるべく構成される。棚部６２８は長手方向軌道６２９の役割を果たし、それに沿い、受渡しトレイ５は解除位置から固定位置まで、および、その逆に摺動し得る。受渡しトレイ容器５が棚部６２９に沿い、固定位置まで摺動されたとき、固定要素５３０および６３０は相互に整列されることで、受渡しトレイ容器が計数トレイ３００から離間揚動されることを阻止する。この状態において、受渡しトレイ５は計数トレイに対して確実に固定されることで、医療廃棄物用廃棄容器または鋭利物用廃棄容器として使用され得る囲繞体を形成する。
【００６７】
本発明に係る受渡しトレイは、種々の組み合わせ、および／または、配置構成において受渡しトレイ５の内部特定構造を含み得る。幾つかの実施例は、受渡しトレイ５において提供されたよりも少ない個数の個別的特定構造を含み得る一方、他の実施例は、受渡しトレイ５において提供されたよりも多い個数の個別的特定構造を含み得る。他の実施例は、受渡しトレイ５において提供された特定構造の一つ以上を省略し得る。更に別の実施例は、受渡しトレイ５における特定構造の一つ以上を省略すると共に、省略された一つ以上の特定構造を、受渡しトレイ５において提供された異なる特定構造で置き換え得る。
【００６８】
図１８および図１９を参照すると、たとえば、本発明の別の好適実施例に係る受渡しトレイ５’が示される。受渡しトレイ５’は、受渡しトレイ５において提供された同一の特定構造の多くを含むが、ポケット６０を省略している。ポケット６０の代わりに、受渡しトレイ５’は、更に大きなサイズ範囲の縫合糸ホルダを収容すべく（合計で６個の区画のために）付加的な２つの付加的区画４０’を提供する。
【００６９】
図２０および図２１を参照すると、本発明の更に別の好適実施例に係る受渡しトレイ５”が示される。受渡しトレイ５”は、受渡しトレイ５において提供された同一の特定構造の多くを含むが、ポケット６０を省略している。これに加え、受渡しトレイ５”は、トレイのいずれの端部が器具の基端を受容し、且つ、いずれの端部が器具の末端を受容するかに関わらず、器具は同一様式で受容かつ拘束される様に、各区分の対称的配置を特徴としている。特に、受渡しトレイ５”は、第１区分３１”と、第１区分の形態を鏡映すべく構成された第２区分３２”とを含む。第１区分３１”および第２区分３２”は各々、種々のサイズの縫合糸ホルダ器具を収容する一連の５個のスロットまたは区画４０”を含む。これに加え、第１区分３１”および第２区分３２”は各々、受渡しトレイ５”の長手方向中央線３３”の横方向に且つその各側に延在する段部構成で配置された一連の底壁部１５”を含む。第１区分３１”における底壁部１５”の段部構成は、第１区分における５個の区画４０”と部分的に重なり合う。第２区分３２”においても、底壁部１５”および区画４０”の同一の重なり合い配置が存在する。この鏡映的な構成において、使用済みの縫合針が装填された縫合糸ホルダは、縫合針が第１区分３１”または第２区分３２”のいずれかに受容されて、受渡しトレイ５”へと投入され得る。いずれの区分が縫合針を受容するかに関わらず、縫合針は同一様式で安全に受容して遮蔽され、針がトレイ内の不適切な箇所に載置される可能性が減少される。その故に、の対称的な配置によれば、縫合糸ホルダまたは他の鋭利な器具をトレイ内に適切に載置することが更に容易とされる、と言うのも、トレイは、器具を保持する対象者に対してトレイのいずれの側部または端部が臨むかに関わらず、器具を同一様式で受け入れるからである。
【００７０】
本明細書において本発明は特定の実施例に関して図示かつ記述されたが、本発明が示された詳細に限定されることは意図されない。寧ろ、各請求項の有効範囲内および均等物の範囲内において、且つ、発明から逸脱せずに、詳細においては種々の改変が為され得る。
【００７１】
添付図面中に示された実施例は、単に外見的である多数の特徴を有している。これらの外見的な特徴は、別体的に、且つ、先の段落に記述された機能的態様から離れて存在する。これらの外見的な特徴の外観および／または配置は、多数の様式で改変されると共に、依然として、各トレイがそれらの意図された機能を同一様式で実施することを許容し得る。単に外見的である特徴としては、限定的なものとしてで無く、受渡しトレイ５および計数トレイ３００の実質的に平坦な頂部表面、受渡しトレイ５および計数トレイ３００の丸み付けられた角隅縁部、受渡しトレイ５の幅に対する長さの割合、計数トレイ３００の幅に対する長さの割合、および、計数トレイ３００上の取手の形状および形式が挙げられる。これに加え、単に外見的な特徴としては、限定的なものとしてで無く、受渡しトレイ５の側壁部および端壁部の均一な勾配、計数トレイ３００の側壁部および端壁部の均一な勾配、受渡しトレイ５の側壁部および端壁部の勾配の特定の角度、計数トレイ３００の側壁部および端壁部の勾配の特定の角度、および、受渡しトレイ５および計数トレイ３００の両方に対する勾配の同一角度の選択であって、受渡しトレイが計数トレイ上に配置されたときに２つのトレイ間に、流線的かつ美学的である魅力的な形状適合性および調和性を引き起こすという選択が挙げられる。
【図１】
2020501741.tif 000003
【図２】
2020501741.tif 000004
【図３】
2020501741.tif 000005
【図４】
2020501741.tif 000006
【図５】
2020501741.tif 000007
【図６】
2020501741.tif 000008
【図７】
2020501741.tif 000009
【図８】
2020501741.tif 000010
【図９】
2020501741.tif 000011
【図１０】
2020501741.tif 000012
【図１１】
2020501741.tif 000013
【図１２】
2020501741.tif 000014
【図１３】
2020501741.tif 000015
【図１４】
2020501741.tif 000016
【図１５】
2020501741.tif 000017
【図１６】
2020501741.tif 000018
【図１７】
2020501741.tif 000019
【図１８】
2020501741.tif 000020
【図１９】
2020501741.tif 000021
【図２０】
2020501741.tif 000022
【図２１】
2020501741.tif 000023
【国際調査報告】
2020501741.tif 000024
2020501741.tif 000025